(57)【要約】ポータブルデータ記憶装置に記憶されているデータの紛失またはデータ記憶装置自体の紛失に対する安全保護方法である。メモリと、ポータブルデータ記憶装置との通信用の無線通信リンクとを有するユーザが携帯するバックアップ装置が提供される。バックアップ装置およびポータブルデータ記憶装置は無線通信リンクにより周期的または疑似連続的に通信し、ポータブルデータ記憶装置へ入力されたデータをバックアップし、ポータブルデータ記憶装置の取除きをチェックする。ポータブルデータ記憶装置が予め定められた期間に通信範囲外であるならば、ユーザにポータブルデータ記憶装置の紛失を警報するために警報が付勢される。【選択図】図１
2004536534.tif 000002
【特許請求の範囲】
【請求項１】
ポータブルデータ記憶装置に記憶されたデータの喪失に対して安全保護する方法において、
メモリと、ポータブルデータ記憶装置と通信するための無線通信リンクとを有するユーザが携帯するバックアップ装置を設け、
ポータブルデータ記憶装置へ入力されるデータをバックアップし、ポータブルデータ記憶装置の取外しをチェックするために無線通信リンクによりバックアップ装置とポータブルデータ記憶装置との間で周期的または疑似連続的に通信し、
ポータブルデータ記憶装置が予め定められた期間に通信範囲外にあるならば、ポータブルデータ記憶装置の喪失をユーザに警報するため警報を発生するステップを含んでいる方法。
【請求項２】
前記無線通信リンクは短距離のリンクであり、好ましくは約１００ｍ以下、さらに好ましくは約１０ｍ以下の実効距離を有している請求項１記載の方法。
【請求項３】
前記無線通信リンクはブルートュース（ＲＴＭ）リンクである請求項１記載の方法。
【請求項４】
通信は周期的に行われる請求項１乃至３のいずれか１項記載の方法。
【請求項５】
通信は疑似連続的に行われる請求項１乃至４のいずれか１項記載の方法。
【請求項６】
無線通信リンクがポータブルデータ記憶装置により使用されている場合には、警報の発生は中断される請求項１乃至５のいずれか１項記載の方法。
【請求項７】
バックアップ装置は無線通信リンクがポータブルデータ記憶装置により使用されているか否かを検出する請求項１乃至６のいずれか１項記載の方法。
【請求項８】
警報は約１秒以上のポータブルデータ記憶装置とバックアップ装置との間の通信が中断した場合に発生される請求項１乃至７のいずれか１項記載の方法。
【請求項９】
さらに警報をディスエーブルするためのユーザ入力の受信を含んでいる請求項１乃至８のいずれか１項記載の方法。
【請求項１０】
警報をディスエーブルするためのユーザ入力は警報の付勢前に行われる請求項９記載の方法。
【請求項１１】
警報をディスエーブルするためのユーザ入力は警報の付勢後に行われる請求項９または１０記載の方法。
【請求項１２】
警報はポータブルデータ記憶装置とバックアップ装置の両者で発生される請求項１乃至１１のいずれか１項記載の方法。
【請求項１３】
さらに、ポータブルデータ記憶装置が予め定められた期間に対してバックアップ装置との通信範囲外にあるならば、ポータブルデータ記憶装置についての警報手順をトリガーする請求項１乃至１２のいずれか１項記載の方法。
【請求項１４】
さらにバックアップ装置との通信がない場合にポータブルデータ記憶装置の動作を禁止する請求項１乃至１３のいずれか１項記載の方法。
【請求項１５】
禁止はポータブルデータ記憶装置の全てではないが幾つかの機能をディスエーブルする請求項１４記載の方法。
【請求項１６】
ポータブルデータ記憶装置は移動体電話装置であり、禁止期間中、少なくとも１つの予め定められた番号へのアクセスが可能にされるが、他の番号へのアクセスは禁止される請求項１５記載の方法。
【請求項１７】
データは新しいデータのポータブルデータ記憶装置への入力に応答してバックアップされる請求項１乃至１６のいずれか１項記載の方法。
【請求項１８】
データは周期的にバックアップされる請求項１乃至１７のいずれか１項記載の方法。
【請求項１９】
バックアップ装置に記憶されたデータをマシンインターフェース、好ましくは前記無線通信リンクにより別の装置へ通信することを含んでいる請求項１乃至１８のいずれか１項記載の方法。
【請求項２０】
バックアップ装置に記憶されたデータはマシンインターフェース、好ましくは前記無線通信リンクにより別のデータ記憶装置によりアクセス可能である請求項１乃至１９のいずれか１項記載の方法。
【請求項２１】
バックアップ装置に記憶されたデータは全てが人間のインターフェースにより直接的にアクセス可能ではない請求項２０記載の方法。
【請求項２２】
さらに、バックアップ装置をポータブルデータ記憶装置により登録することを含んでいる請求項１乃至２１のいずれか１項記載の方法。
【請求項２３】
さらに、バックアップ装置とネットワークとの間の通信を含んでいる請求項１乃至２２のいずれか１項記載の方法。
【請求項２４】
ネットワークは電気通信ネットワークであり、バックアップ装置はポータブルデータ記憶装置が通信の範囲外にあるならば、電気通信ネットワークの遠隔局へ信号を送る請求項２０記載の方法。
【請求項２５】
ネットワークは位置情報を提供するネットワークである請求項２３記載の方法。
【請求項２６】
無線通信リンクによるバックアップ装置とポータブルデータ記憶装置間の通信は複数のパワーレベルの選択された１つで動作する請求項１乃至２５のいずれか１項記載の方法。
【請求項２７】
ポータブルデータ記憶装置とバックアップ装置と間の無線通信リンクの動作範囲は、通信が低いパワーレベルで動作するときよりも高いパワーレベルで通信が動作するときに大きい請求項２６記載の方法。
【請求項２８】
通信は最初に第１のパワーレベルで動作するが、ポータブルデータ記憶装置が予め定められた時間を通じてバックアップ装置との通信範囲外に出ないならば第２のパワーレベルでの動作に切換えられ、第２のパワーレベルは第１のパワーレベルよりも低い請求項２６記載の方法。
【請求項２９】
ポータブルデータ記憶装置とバックアップ装置との間の通信の周波数は、通信が低いパワーレベルで動作するときよりも高いパワーレベルで通信が動作するときに大きい請求項２６または２８記載の方法。
【請求項３０】
データは通信が第１のパワーレベルで動作するときのみ、ポータブルデータ記憶装置とバックアップ装置との間で転送される請求項２８記載の方法。
【請求項３１】
ユーザは通信が動作するパワーレベルをマニュアルで選択する請求項２６乃至３０のいずれか１項記載の方法。
【請求項３２】
さらに、無線通信リンクによってポータブルデータ記憶装置の少なくとも１つの特有の識別子をバックアップ装置へ通信することを含んでいる請求項１乃至３１のいずれか１項記載の方法。
【請求項３３】
少なくとも１つの特有の識別子は、
ポータブルデータ記憶装置の国際移動体装置アイデンティティ番号（ＩＭＥＩ）と、
ポータブルデータ記憶装置内のブルートュース（ＲＴＭ）チップのブルートュース（ＲＴＭ）通し番号のうちの少なくとも１つである請求項３２記載の方法。
【請求項３４】
さらに、ポータブルデータ記憶装置がバックアップ装置との通信範囲外にあるならば、バックアップ装置から別々のネットワークへ少なくとも１つの特有の識別子を通信することを含んでいる請求項３２または３３記載の方法。
【請求項３５】
バックアップ装置へ転送されるデータは、
ポータブルデータ記憶装置の特有の識別子と、
ポータブルデータ記憶装置に関連する加入者モジュールの特有の識別子と、
ポータブルデータ記憶装置に関連するブルートュース（ＲＴＭ）チップの特有の識別子と、
ポータブルデータ記憶装置のユーザプロフィールデータの少なくとも１つを含んでいる請求項１乃至３４のいずれか１項記載の方法。
【請求項３６】
ポータブルデータ記憶装置は移動体電話機であり、
ポータブルデータ記憶装置の特有の識別子は移動体電話機の国際移動体装置アイデンティティ（ＩＭＥＩ）番号であり、
ポータブルデータ記憶装置に関連する加入者モジュールの特有の識別子は加入者アイデンティティモジュール（ＳＩＭ）の識別子である請求項３５記載の方法。
【請求項３７】
ポータブルデータ記憶装置は移動体電話機であり、ポータブルデータ記憶装置のユーザプロフィールデータは、
呼設定と、
電話機設定と、
セキュリティ設定と、
呼迂回設定と、
表示設定と、
トーン設定と、
メッセージ設定と、
呼登録設定と、
入手可能なプリペイドクレジットと、
インターネットアクセス設定のうち少なくとも１つを含んでいる請求項３５または３６記載の方法。
【請求項３８】
バックアップ装置に記憶されているデータは許可された制御装置によりダウンロードされる請求項１乃至３７のいずれか１項記載の方法。
【請求項３９】
バックアップ装置に記憶されているデータは第２のポータブルデータ記憶装置にアップロード可能である請求項１乃至３８のいずれか１項記載の方法。
【請求項４０】
ポータブルデータ記憶装置に記憶されているデータをバックアップするために無線通信リンクによりバックアップ装置と周期的またはほぼ連続的に通信することを含んでいるポータブルデータ記憶装置の動作方法。
【請求項４１】
さらに、バックアップ装置が範囲外であるとき警報手順をトリガーする請求項４０記載の方法。
【請求項４２】
警報はポータブルデータ記憶装置で鳴らされる請求項４１記載の方法。
【請求項４３】
可聴、可視、または振動警報がポータブルデータ記憶装置またはバックアップ装置の一方または両者でトリガーされる請求項４１または４２記載の方法。
【請求項４４】
警報手順はポータブルデータ記憶装置の少なくとも１つの機能をディスエーブルするステップを含んでいる請求項４０乃至４３のいずれか１項記載の方法。
【請求項４５】
警報手順はポータブルデータ記憶装置の特有の識別子をネットワークへ通信するステップを含んでいる請求項４０乃至４３のいずれか１項記載の方法。
【請求項４６】
ポータブルデータ記憶装置は移動体電話機であり、特有の識別子は電気通信リンクによって移動体電気通信ネットワークへ通信される請求項４５記載の方法。
【請求項４７】
無線通信リンクは第１の範囲内で動作し、方法はさらにバックアップ装置がポータブルデータ記憶装置の第１の範囲外であるとき警報手順をトリガーするために第２の範囲内の無線通信リンクによって通信することを含み、第２の範囲は第１の範囲よりも大きい請求項４０乃至４６のいずれか１項記載の方法。
【請求項４８】
第２の範囲内の通信は第１の範囲内の通信よりも高いパワーレベルで動作する請求項４７記載の方法。
【請求項４９】
ポータブルデータ記憶装置は移動体電話機であり、バックアップ装置に転送されるデータは、
移動体電話機のＩＭＥＩ番号と、
移動体電話機に関連するＳＩＭカードのＳＩＭ識別子の少なくとも１つを含んでいる請求項４０乃至４８のいずれか１項記載の方法。
【請求項５０】
バックアップ装置に転送されるデータはポータブルデータ記憶装置に関連するユーザプロフィール情報を含んでいる請求項４０乃至４９のいずれか１項記載の方法。
【請求項５１】
ポータブルデータ記憶装置に記憶されているデータをバックアップするために無線通信リンクによってポータブルデータ記憶装置と周期的に通信し、ポータブルデータ記憶装置が範囲外にあるとき警報手順をトリガーすることを含んでいるバックアップ装置の動作方法。
【請求項５２】
さらにデータを回復するために、バックアップ装置に記憶されるデータをポータブルデータ記憶装置または置換ポータブルデータ記憶装置へ通信することを含んでいる請求項５１記載の方法。
【請求項５３】
さらにネットワークと通信することを含んでいる請求項５１または５２記載の方法。
【請求項５４】
ネットワークは電気通信ネットワークを含み、警報手順はバックアップ装置から電気通信ネットワーク内の遠隔局への信号するステップを含んでいる請求項５３記載の方法。
【請求項５５】
さらに警報手順を取消すためにユーザ入力を受信する請求項５１乃至５４のいずれか１項記載の方法。
【請求項５６】
警報手順はバックアップ装置の少なくとも１つの機能をディスエーブルにするステップを含んでいる請求項５１乃至５５のいずれか１項記載の方法。
【請求項５７】
警報手順はバックアップ装置における可聴、可視、または振動警報を含んでいる請求項５１乃至５６のいずれか１項記載の方法。
【請求項５８】
さらに、バックアップ装置とポータブルデータ記憶装置のペアリングを許可するためにバックアップ装置によりポータブルデータ記憶装置を予め登録するステップを含んでいる請求項５１乃至５７のいずれか１項記載の方法。
【請求項５９】
複数のポータブルデータ記憶装置はバックアップ装置とペアにされている請求項５８記載の方法。
【請求項６０】
バックアップ装置は、ポータブルデータ記憶装置がバックアップ装置とペアにされている動作の許可モードを有している請求項５８または５９記載の方法。
【請求項６１】
バックアップ装置は外部ソースから許可信号を受信したとき動作の許可モードに入る請求項６０記載の方法。
【請求項６２】
バックアップ装置はそれ自体で入力することにより動作の許可モードに置かれる請求項６０記載の方法。
【請求項６３】
許可されていない装置によるバックアップ装置とのペアリングの試行は拒否される請求項５７乃至６２のいずれか１項記載の方法。
【請求項６４】
警報手順は許可されていない装置がバックアップ装置とペアになることを試みた場合に、トリガーされる請求項５７乃至６３のいずれか１項記載の方法。
【請求項６５】
ポータブルデータ記憶装置の紛失またはポータブルデータ記憶装置内に記憶されたデータの喪失に対する安全保護方法において、
ポータブルデータ記憶装置と通信するためのメモリおよび無線通信リンクを有するバックアップ装置を設け、
ポータブルデータ記憶装置へ入力されるデータをバックアップするために第１のパワーレベルで無線通信リンクによってバックアップ装置とポータブルデータ記憶装置との間で通信し、
ポータブルデータ記憶装置が無線通信リンクによる通信の範囲外にあるならば、警報を発生し、
バックアップ装置とポータブルデータ記憶装置間で無線通信リンクによって第１のパワーレベルよりも低い第２のパワーレベルで通信するステップを含んでいる方法。
【請求項６６】
ポータブルデータ記憶装置に入力されたデータは通信が第２のパワーレベルで行われているとき、バックアップ装置によりバックアップされない請求項６５記載の方法。
【請求項６７】
通信が行われるパワーレベルはマニュアルで選択される請求項６５または６６記載の方法。
【請求項６８】
第２のパワーレベルを使用するバックアップ装置とポータブルデータ記憶装置との間の通信は第１のパワーレベルを使用する通信よりも短い距離で動作する請求項６５乃至６７のいずれか１項記載の方法。
【請求項６９】
さらに、ポータブルデータ記憶装置が予め定められた時間内にバックアップ装置との通信の範囲外に出ない場合には第２のパワーレベルの使用に自動的に切換えられる請求項６５記載の方法。
【請求項７０】
ポータブルデータ記憶装置とバックアップ装置との間の通信は第１のパワーレベルよりも第２のパワーレベルで少ない頻度で行われる請求項６５乃至６９のいずれか１項記載の方法。
【請求項７１】
ポータブルデータ記憶装置と通信するために無線通信リンクを有するバックアップ装置を設け、
無線通信リンクによってバックアップ装置とポータブルデータ記憶装置との間で通信を行い、
ポータブルデータ記憶装置が無線通信リンクによる通信の範囲外にある場合には別のネットワークによって遠隔局へ信号を通知することを含んでいるポータブルデータ記憶装置の損失に対する安全保護方法。
【請求項７２】
別のネットワークは電気通信ネットワークである請求項７１記載の方法。
【請求項７３】
ポータブルデータ記憶装置の特有の識別子は別のネットワークに送信され、特有の識別子は好ましくは、
ポータブルデータ記憶装置のＩＭＥＩ番号と、
ポータブルデータ記憶装置に関連するＳＩＭカードのＳＩＭ識別子と、
ポータブルデータ記憶装置に一体化されるブルートュース（ＲＴＭ）チップに関連するブルートュース（ＲＴＭ）識別子の少なくとも１つを含んでいる請求項７１または７２記載の方法。
【請求項７４】
中央ポータブルデータ記憶装置と少なくとも１つのタグ装置との分離に対する安全保護方法において、
中央ポータブルデータ記憶装置および各タグ装置との間の通信のために少なくとも１つの無線通信リンクを設け、
無線通信リンクによってタグ装置または各タグ装置と中央ポータブルデータ記憶装置との間で周期的に通信し、
タグ装置が中央ポータブルデータ記憶装置との通信範囲外にある場合には警報手順を開始するステップを含んでいる方法。
【請求項７５】
中央ポータブルデータ記憶装置は大人である第１の人により使用され、子供であるかタグ装置を保持する少なくとも１人の第２の人からの第１の人の分離に対して安全保護するために使用される請求項７４記載の方法。
【請求項７６】
少なくとも２つのタグ装置が存在し、トリガーされる警報手順は少なくとも２つのバックアップ装置で異なっている請求項７４または７５記載の方法。
【請求項７７】
少なくとも１つのタグ装置の警報手順はそのバックアップ装置の保持者の可視表示を表示することを含んでいる請求項７４乃至７６のいずれか１項記載の方法。
【請求項７８】
少なくとも１つのタグ装置の警報手順は可視または可聴警報をタグ装置で発信することを含んでいる請求項７４乃至７７のいずれか１項記載の方法。
【請求項７９】
ポータブルデータ記憶装置またはバックアップ装置を請求項１乃至７８のいずれか１項記載の方法にしたがって動作させる命令を含んでいるコンピュータプログラムまたはコンピュータプログラムプロダクト。
【請求項８０】
ポータブルデータ記憶装置のダウンロード可能なアプリケーションを含んでいる請求項７９記載のコンピュータプログラムまたはコンピュータプログラムプロダクト。
【請求項８１】
無線通信リンクにより通信するためのインターフェースにより記憶されたプログラムを有している請求項７９記載のコンピュータプログラムまたはコンピュータプログラムプロダクト。
【請求項８２】
請求項１乃至７８のいずれか１項記載の方法にしたがってポータブルデータ記憶装置を動作させるためのソフトウェアを含んでいる信号、特にＳＩＭカード更新。
【請求項８３】
短距離の無線通信インターフェースを有し、無線通信リンクによりバックアップ装置と通信するように構成されているポータブルデータ記憶装置。
【請求項８４】
短距離の無線通信リンクと、
バックアップするためのデータを受信するために通信リンクによりポータブルデータ記憶装置と通信する手段と、
受信されたデータを記憶する記憶装置と、
ポータブルデータ記憶装置が範囲外にあるとき警報をトリガーする手段とを具備しているバックアップ装置。
【請求項８５】
さらに、ポータブルデータ記憶装置の無線通信リンクが使用されているか否かを検出する手段を具備している請求項８４記載のバックアップ装置。
【請求項８６】
さらに、バックアップ装置は再充電可能なバッテリを具備している請求項８４または８５記載のバックアップ装置。
【請求項８７】
バックアップ装置は財布のキーリングに取付けられるためハウジング内または腕時計に取付けられるか、或いは服飾品またはその一部に取付け可能である請求項８４乃至８６のいずれか１項記載のバックアップ装置。
【請求項８８】
バックアップ装置はポケットサイズである請求項８４乃至８６のいずれか１項記載のバックアップ装置。
【請求項８９】
トリガーされる警報はユーザの衣服のポケット内でユーザに知覚可能である請求項８４乃至８８のいずれか１項記載のバックアップ装置。
【請求項９０】
トリガーされる警報は可聴警報を含んでいる請求項８４乃至８９のいずれか１項記載のバックアップ装置。
【請求項９１】
トリガーされる警報は振動警報を含んでいる請求項８４乃至９０のいずれか１項記載のバックアップ装置。
【請求項９２】
さらに、装置とポータブルデータ記憶装置とのペアリングを可能にするためにペアリング信号を受信するための入力を具備している請求項８４乃至９１のいずれか１項記載のバックアップ装置。
【請求項９３】
ここで実質的に説明されているバックアップ装置。
【請求項９４】
ポータブルデータ記憶装置に記憶されているデータをバックアップするために無線通信リンクによってバックアップ装置と周期的に通信する手段を具備しているポータブルデータ記憶装置アプリケーション。
【請求項９５】
ポータブルデータ記憶装置と通信するための無線通信リンクと、財布のキーリングに取付けられるためのハウジング内または腕時計に取付けられるか、或いは服飾品またはその一部に取付け可能であるポータブルデータ記憶装置からのデータをバックアップする手段とを具備しているデータのバックアップ装置。
【請求項９６】
さらに、ハウジング内に統合された警報装置を含んでいる請求項９５記載のデータバックアップ装置。
【請求項９７】
データを記憶するメモリと、メモリと通信するための無線通信手段を有するが、メモリへのデータの直接的な入力を可能にするユーザインターフェースなしで構成されているバックアップ装置。
【請求項９８】
バックアップ装置からの通信がない場合に、ポータブルデータ記憶装置の少なくとも幾つかの機能をディスエーブルにする手段を有しているポータブルデータ記憶装置。
【請求項９９】
移動体電話機のＳＩＭカードデータを含む遠隔装置への無線リンクを有する移動体電話機。
【請求項１００】
プロセッサ、メモリ、および通信インターフェースは埋設され、請求項１乃至７８のいずれか１項記載の方法を実行するための命令を含んでいるスマート服飾品アプリケーション。
【請求項１０１】
移動体電気通信装置の特有の識別子、好ましくはＩＭＥＩ番号および／またはＳＩＭカード識別子、好ましくは自動的にバックアップ装置へのデータのバックアップの開始を記録するために装置とバックアップ装置との間の通信を含んでいる移動体電気通信装置の秘密保護方法。
【発明の詳細な説明】
【技術分野】
【０００１】
本発明はポータブルデータ記憶装置、特にそれらに限定されないがハンドヘルドオーガナイザまたはＰＤＡ装置または移動体電話機、特に移動体電話機のような装置に記憶されるデータのセキュリティに関する。
【背景技術】
【０００２】
最近、連絡およびカレンダ情報のような重要なデータの記憶のための小さいポータブル装置の使用が広範囲に増加している。装置はさらにユーザに対してやさしく、さらに小さく、さらに強力になり、このような装置の応用数と便宜さを増加している。このような装置の増加したポータブル性とパワーは多くの利点を有するが、１つの欠点、即ち多量の有効なデータを含んでいる装置の置忘れまたは紛失をしやすいという欠点を有する。
【０００３】
紛失または損傷の危険性は認識されており、多くの装置にはデスクトップまたはその他のコンピュータのような、データを別の装置にバックアップする設備が設けられている。しばしば、これはケーブルを使用して物理的な接続を行うことを含んでいるが、ＩｒＤａ（赤外線）通信インターフェースを有する装置が利用可能である。しかしながら、それが実行するバックアッププロセスは通常、ユーザの側で肯定的な介入を必要とし、面倒である。結果として、ポータブル装置のデータは非常に頻繁にバックアップされることはできない。したがって前述したようにユーザが平均的にデータのバックアップに精をだしても、装置の損失の場合には、多量の有効なデータを失いやすい。
【発明の開示】
【発明が解決しようとする課題】
【０００４】
本発明はポータブルデータ装置、特に移動体電話機に記憶されたデータの損失の危険性を減少する問題を解決することを目的とする。
【課題を解決するための手段】
【０００５】
第１の特徴において、本発明はポータブルデータ記憶装置に記憶されたデータの喪失に対して安全保護する方法を提供し、その方法はメモリと、ポータブルデータ記憶装置と通信するための無線通信リンクとを有するユーザが携帯するバックアップ装置を設け、
ポータブルデータ記憶装置へ入力されるデータをバックアップし、ポータブルデータ記憶装置の取外しをチェックするために無線通信リンクによりポータブルデータ記憶装置と周期的または疑似連続的に通信し、
ポータブルデータ記憶装置が予め定められた期間に通信範囲外にあるならば、ポータブルデータ記憶装置の喪失をユーザに警報するため警報を発生する。
【０００６】
このようにして、バックアップ装置はポータブル記憶装置に記憶されているデータ（または選択されたデータ）を含み、したがって装置が喪失したならば、バックアップデータが検索されることができる。さらに、装置が範囲外に移動されたならば、ユーザがポータブル記憶装置を置き忘れていることをユーザに警報するために警報が鳴らされる。その警報は好ましくは少なくとも可聴（および／または振動および／または可視）警報としてバックアップ装置により与えられることが好ましい。しかしながら警報は付加的にまたは代わりにポータブルデータ記憶装置により与えられてもよい。
【０００７】
したがって、本発明の実施形態は最初の段階で、定期的な手動のバックアップの必要性を避け、装置の紛失の危険性を減少する。本発明により与えられる解決策は、単一の通信リンクを最も便宜的に使用して、装置が紛失しても、装置の紛失の危険性とデータの損失の危険性との両者を効率的に減少し、両機能を実現する。範囲外の装置の検出は通信リンクの故障を検出することにより便宜的に実現されるが、例えば範囲のさらに正確な特定が必要とされるか、通信リンクが依然として存在しながら、範囲限度が超過している早期の警報が所望であるならば、この検出はさらにレンジング機能により補足されるか置換されてもよい。
【０００８】
警報手順、例えば警報の付勢および／またはポータブルデータ記憶装置のディスエーブルは２次のさらに広い範囲の通信リンクが使用されるようになったときに開始される。警報手順の開始はアクチブプロセス、例えば警報手順は２次のさらなる範囲の通信リンクでの信号の受信で付勢されるか、または信号がないことにより開始されるプロセス、例えばプロセスが第１の通信リンクでの通信が故障したときに開始するプロセスである。
【０００９】
通信リンクは好ましくは短距離のリンクである。効率的な範囲は正確に決定される必要なく、実際に周囲状態に応じて変化するので、データ記憶装置を置忘れたユーザによって２つの装置間の分離距離で通信リンクが遮断されるように設定されるべきであることが認識されるであろう。典型的に、この距離は１０メートル程度であるが、さらに小さいまたは大きい距離が応用に応じて使用されてもよい。距離はユーザにより選択可能である。例えばユーザが公共の交通機関等の混雑した場所での装置の盗難の可能性に対して警報されることを所望するならば、１メートルまたは恐らくそれ以下の分離距離が警報をトリガーするのに適切である。ユーザが大きいオープンプランの会社の空間で勤務し、会社にデータ装置を置くことを望んでいるが、ビルを離れるとき置忘れを警報されることを望むならば、５０メートルまたは１００メートルの距離が適切である。
【００１０】
複数の異なる範囲の設定でバックアップ装置を動作することに加えて、バックアップ装置はまた複数の異なる再試行率のうちの選択された１つの再試行率で動作してもよい。即ち、バックアップ装置は予め定められたインターバルでポータブルデータ記憶装置と通信する。これらのインターバルはユーザによる規定または選択である。その代わりに、これらは前述の範囲設定に相関され、例えばバックアップ装置は分離距離が１メートル以下であることを必要とされるならば毎秒複数回、分離距離が１００メートルまでであるならば数秒のインターバルでのみポータブルデータ記憶装置と通信する。更に別のものでは装置間の距離が一定の状態であるならば間隔は時間にわたって自動的に増加する。例えばポータブルデータ記憶装置とバックアップ装置が１時間の期間で分離されている距離が数メートルに満たないならば、（例えばポータブルデータ記憶装置の所有者が会社の机上の装置の近くで座っている場合）インターバルは１秒から数秒に減少する。
【００１１】
バックアップ装置とポータブルデータ記憶装置との間の通信は複数の異なるパワーレベルのうち選択された１つで動作されることが認識されるであろう。これは幾つかの状態においてバックアップ装置とポータブルデータ記憶装置のパワーを節約する。例えばポータブルデータ記憶装置との通信が頻繁である必要がないとき、通信が短距離でのみ必要とされるとき、または通信リンクを横切るデータのバックアップが必要とされないとき、通信リンクは低いパワーレベルで動作してもよい。通信範囲または通信周波数が自動的にまたはマニュアルで選択され、ポータブルデータ記憶装置とバックアップ装置の動作で最も適切なパワーレベルの自動的な選択を可能にする。例えば通信リンクは最初に第１のパワーレベルで動作するが、ポータブルデータ記憶装置が予め定められた時間を通じてバックアップ装置との通信範囲外に出ないならば第２のパワーレベルでの動作に切換える。この例では、低いパワーレベルでの動作はポータブルデータ記憶装置とバックアップ装置間の通信の頻度を減少し、または通信リンクの距離を減少することを含んでいる。
【００１２】
最も好ましくは、通信リンクは無線リンクであり、リンクはブルートュース（商標登録）（または類似の）無線リンクであることが最も好ましい。ブルートュース（ＲＴＭ）は約２．４ＧＨｚで動作し、本発明に理想的な１０メートルの程度の距離まで装置間の秘密保護通信を提供する。しかしながら例えば遠隔制御警報キー等に使用されるような４１５ＭＨｚの低いパワーのトランシーバリンクのような他の形態の無線リンクが使用されてもよい。後者は廉価のコンパクトなトランシーバが迅速に入手可能である利点も有する。高い周波数の使用の利点は、無線トランシーバで比較的効率的なアンテナを有しながら、さらにコンパクトなトランシーバが使用されることができることである。それにもかかわらず、必要とされる短い通信距離を考慮すると、認識されるように、任意の種々の利用可能な周波数が使用される。さらに別の実施形態では、８０２．１１ａまたは８０２．１１ｂリンク等の代わりの無線通信リンクが使用されてもよい。
【００１３】
無線リンクは無線を使用する必要はなく、例えば超音波リンクが場合によっては使用されてもよい。ある場合では、ユーザの身体に結合することによるデータ送信に基づく等の接触ベースのリンクが使用されてもよい。
【００１４】
好ましくはポータブルデータ記憶装置の少なくとも１つの特有の識別子は無線通信リンクによってバックアップ装置へ転送されることができる。この特有の識別子はポータブルデータ記憶装置が移動体電話機であるならばＩＭＥＩ番号であり、またはさらに好ましくは特有の識別子はブルートュース（ＲＴＭ）通し番号である。各ブルートュース（ＲＴＭ）チップは特有のブルートュース（ＲＴＭ）通し番号を有し、これは変更が困難である。ブルートュース（ＲＴＭ）通し番号はポータブルデータ記憶装置の確実で特有の“タグ”として使用されることができる。
【００１５】
関連した非常に好ましい特徴にしたがって、バックアップ装置へ転送されるデータは、ポータブルデータ記憶装置の特有の識別子と、ポータブルデータ記憶装置に関連する加入者モジュールの特有の識別子と、ポータブルデータ記憶装置のユーザプロフィールデータの少なくとも１つを含んでいる。
【００１６】
好ましくは、ポータブルデータ記憶装置は移動体電話機であり、ポータブルデータ記憶装置の特有の識別子は移動体電話機の国際移動体装置アイデンティティ（ＩＭＥＩ）番号である。さらに好ましくは、ポータブルデータ記憶装置に関連する加入者モジュールの特有の識別子は加入者アイデンティティモジュール（ＳＩＭ）の識別子である。
【００１７】
ポータブルデータ記憶装置の識別子をバックアップ装置へバックアップすることによって、紛失または盗難されたポータブルデータ記憶装置はユーザが識別子をアクチブに発見し記憶せずに特有に識別されることができる。例えば、移動体電話機のＩＭＥＩ番号はバックアップ装置へ転送され、それによって移動体電話機が紛失し、または盗難されたならばＩＭＥＩ番号は移動体の電気通信ネットワークのオペレータへ転送される。これはオペレータがＩＭＥＩ番号に対応する損失または盗難された移動体ハンドセットの使用を直ちに阻止することを可能にする。
【００１８】
１実施形態によれば、ポータブルデータ記憶装置または移動体電話機を紛失し、または盗難されたユーザは特有の識別子、例えばＩＭＥＩ番号が記憶されているバックアップ装置を、許可された制御装置、例えば移動体電話機ネットワークのオペレータまたは警察に提示する。許可された制御装置はバックアップ装置に記憶された情報をダウンロードし、例えば移動体電話機のハンドセットの使用を阻止するかまたはハンドセットを追跡するためにＩＭＥＩ番号を使用する。ユーザはバックアップ装置から容易にアクセス可能な位置、例えば移動体電話機のネットワークオペレータに接続された系列販売店の移動体電話機ネットワークのオペレータへデータを転送する。系列販売店は好ましくは各バックアップ装置に記憶されたデータを読取ることができる中央制御装置を有する。このようにして、ＩＭＥＩ番号はユーザがアクチブにＩＭＥＩ番号を発見し維持する必要のあるポータブルデータ記憶装置なしにネットワークオペレータへ容易に迅速に転送されることができる。
【００１９】
さらに、データはバックアップ装置にも転送され、例えば移動体電話機のＳＩＭ識別子はバックアップ装置に記憶され、移動体電話機のオペレータは紛失または盗難された移動体電話機またはＳＩＭカードの使用を阻止するためにデータを使用する。
【００２０】
ＩＭＥＩ番号およびＳＩＭ識別子等のデータを容易に入手可能にすることにより、移動体電話機のネットワークのユーザに対するセキュリティを増加し、紛失または盗難された移動体電話機の使用を阻止することができる。
【００２１】
さらに非常に好ましい特徴によれば、ポータブルデータ記憶装置は移動体電話機であり、ポータブルデータ記憶装置のユーザプロフィールデータは、移動体電話機のハンドセット、呼設定、電話機設定、セキュリティ設定、呼迂回設定、表示設定、トーン設定、メッセージ設定、呼登録設定、入手可能なプリペイドクレジットおよびインターネットアクセス設定のうち少なくとも１つを含んでいる。
【００２２】
ユーザプロフィールデータは例えばポータブルデータ記憶装置のアクセスと、呼出し音設定またはキーパッドトーン設定等のポータブルデータ記憶装置の設定に使用されるＰＩＮコードを含んでいる。バックアップ装置に記憶されているユーザプロフィールデータのタイプはポータブルデータ記憶装置のタイプに依存している。好ましい実施形態によれば、バックアップ装置に記憶されているユーザプロフィールデータが新しいポータブルデータ記憶装置へダウンロードされることが可能である。これは例えばユーザがポータブルデータ記憶装置を紛失した場合または紛失された場合、或いはユーザが新しいポータブルデータ記憶装置を購入した場合に便利である。これらの状態では、バックアップ装置に記憶されているユーザプロフィール情報は新しいポータブルデータ記憶装置にアップロードされ、それによって新しいポータブルデータ記憶装置は損失、盗難または古いポータブルデータ記憶装置と基本的に同一方法で動作するように非常に迅速にセットアップされることができる。これはユーザが全ての設定およびユーザ嗜好をマニュアルで再度セットする必要なく可能な限り迅速にポータブルデータ記憶装置を使用して開始することを可能にする。
【００２３】
データはユーザによりバックアップ装置から新しいポータブルデータ記憶装置へアップロードされるが、新しいポータブルデータ記憶装置のベンダによりアップロードされることが好ましい。これは前述したように、紛失または盗難された移動体電話機のＩＭＥＩ番号を含む等、ネットワークの代わりに情報を獲得するベンダを伴って行われることができる。
【００２４】
好ましくは、この方法は警報を取消すためまたは警報をディスエーブルするためにユーザ入力を受信する。ユーザ入力は警報の付勢前または警報の付勢後に行われることができる。これはユーザがバックアップ装置を携帯し、常にデータ記憶装置を（故意に）どこかに置き去りにすることに対して警報しないことを可能にする。
【００２５】
さらに警報の不必要なトリガーを防止するために、無線通信リンクがポータブルデータ記憶装置により使用されている場合には、警報の発信は中断される。好ましくはバックアップ装置は無線通信リンクがポータブルデータ記憶装置により使用されているか否かを検出するための能力を有する。例えば、無線通信リンクがさらに別の装置、例えばコンピュータと通信するためにポータブルデータ記憶装置により使用されているならば、ポータブルデータ記憶装置がバックアップ装置とのその周期的な通信を維持することは可能ではない。しかしながらこの状態で警報がトリガーされないように、バックアップ装置はポータブルデータ記憶装置によるブルートュース（ＲＴＭ）リンクの使用を検出し、警報のトリガーを中断する。
【００２６】
その代わりに、または発生される警報の代わりに、またはそれに加えて、ポータブルデータ記憶装置が予め定められた期間にバックアップ装置との通信の範囲外にあるならば、警報手順はポータブルデータ記憶装置により開始される。この警報手順は以下説明する任意の手順を含んでいる。しかしながら、好ましい警報手順はポータブルデータ記憶装置の少なくとも部分的にディスエーブルするステップを含んでいる。例えば以下さらに詳細に説明するように、移動体電話機のキーパッドはディスエーブルにされ、または信号はネットワーク、例えば移動体電気通信ネットワークへ送信され、ネットワークにわたってポータブルデータ記憶装置の使用を阻止する。
【００２７】
最も好ましい応用では、データ記憶装置はバックアップ装置との通信がない場合、少なくとも部分的に動作可能ではないように構成される。データ記憶装置はバックアップ装置からの通信が予め定められた時間期間内に受信されないならば部分的にまたは完全にディスエーブルにされるように構成される。装置の部分的または完全なディスエーブルは範囲外に出るポータブルデータ記憶装置に先立ってディスエーブル特性を除去するかまたは適切なパスワードまたはピン番号のデータ記憶装置への入力により、ユーザによって無効にされることができる。通信が再度設定されるときに装置の機能が再開されるようにディスエーブルは一時的である。これによりバックアップ装置を携帯するユーザが範囲内にいなければ動作可能ではない移動体電話機をユーザが置き去りにすることが可能である。部分的なディスエーブルは特に移動体電話機の場合、ある機能のみのアクセスを含んでいる。例えば移動体電話機がバックアップ装置の範囲外にあるとき、紛失として電話機を報告するか、電話機を戻すためユーザ情報の転送を受信するか、ポータブルデータ記憶装置を再度エネーブルするためコードまたはパスワードを中央制御センタへ与えるために番号をダイヤルするように限定される。
【００２８】
さらに、ポータブルデータ記憶装置で開始される警報手順をさらに以下詳細に説明するが、これらはポータブルデータ記憶装置が遠隔でディスエーブルされることを可能にする別々のネットワーク（例えば移動体電気通信ネットワーク）の警報と、ポータブルデータ記憶装置が紛失または盗難されていることを示す（ポータブルデータ記憶装置の戻し方の詳細を含んでいる）メッセージの表示、またはデータを別のネットワーク（例えば移動体電気通信ネットワーク）へ送ることを含んでいる。最後の場合には、データは例えばポータブルデータ記憶装置の位置情報、または特有の識別子を含んでいてもよい。
【００２９】
ポータブルデータ記憶装置のデータは周期的に、または新しいデータのポータブルデータ記憶装置への入力に応答して、バックアップ装置へバックアップされることができる。バックアップ装置に記憶されるデータはセキュリティを増加するためさらに別の装置へバックアップされ、さらに別の装置によりアクセス可能である。例えばポータブルデータ記憶装置に記憶されているデータはコンピュータにバックアップされ、そのコンピュータで観察される。しかしながらアクセスはデータの一部のみに限定される。
【００３０】
セキュリティを増加するために、バックアップ装置を使用前にポータブルデータ記憶装置により登録することが必要である。これはデータがポータブルデータ記憶装置から認識されるバックアップ装置にのみ転送されることを確実にする。
【００３１】
さらに好ましい特性にしたがって、バックアップ装置は別のネットワークと通信する。これはポータブルデータ記憶装置が通信範囲外にあるならば、バックアップ装置がネットワーク、例えば移動体電気通信ネットワークへ信号を送ることを可能にする。バックアップ装置はポータブルデータ記憶装置の特有の識別子をネットワークへ送信し、これは例えば遠隔的にポータブルデータ記憶装置をディスエーブルするかポータブルデータ記憶装置の位置を突止めるために識別子を使用する。
【００３２】
更に別の特徴によれば、ポータブルデータ記憶装置の動作方法が与えられ、方法は、ポータブルデータ記憶装置内に記憶されているデータをバックアップするために無線通信リンクによってバックアップ装置と周期的または疑似連続的に通信することを含んでいる。好ましくは警報手順はバックアップ装置がポータブルデータ記憶装置との通信範囲外であるときにトリガーされる。トリガーされる警報手順は先に概要した警報手順の１つを含み、可聴、可視、振動警報をポータブルデータ装置自体でトリガーする、好ましくは警報手順はポータブルデータ記憶装置の少なくとも１つの機能をディスエーブルする。警報手順はポータブルデータ記憶装置の特有の識別子を移動体電気通信ネットワークであるネットワークへ通信することを含んでいる。ポータブルデータ記憶装置がバックアップ装置との通信範囲外であるならば警報手順はトリガーされ、またはポータブルデータ記憶装置がバックアップ装置との通信の第１の範囲を通過したとき第２の範囲内で動作する無線通信リンクにより信号を受信するときにトリガーされる。
【００３３】
さらに別の特徴にしたがって、バックアップ装置の動作方法を提供し、その方法はポータブルデータ記憶装置に記憶されているデータをバックアップするため無線通信リンクによってポータブルデータ記憶装置と周期的に通信し、ポータブルデータ記憶装置が範囲外にあるとき警報手順をトリガーする。
【００３４】
バックアップ装置の動作の好ましい特徴は前述の特徴と同一である。しかしながら、非常に好ましい特徴にしたがって、２つの装置がペアにされる前および通信が開始されることができる前にバックアップ装置によりポータブルデータ記憶装置を予め登録することが必要である。これは許可されていないポータブルデータ記憶装置がバックアップ装置と通信してバックアップ装置からデータをダウンロードする危険性を減少する。複数のポータブルデータ記憶装置は予め登録され、バックアップ装置とペアにされる。バックアップ装置は登録とペアリングを可能にするために動作の“許可”モードにされる。警報手順は許可されていない装置がバックアップ装置とペアになろうとする場合にトリガーされる。
【００３５】
データの秘密保護と移動体電話機（または類似の装置）に対する許可されていないアクセスの防止との両者のための通常の方法はバックアップ装置に設けられた移動体電話機にＳＩＭカード（または等価のデータ記憶装置）を設けることである。このようにして、バックアップ装置と移動体電話機が別々にされたとき、電話機は使用可能ではなくなり、さらにＳＩＭカード中のデータは本質的に秘密保護される。これはまたバックアップ装置が“使い捨て”移動体電話機等の装置と共に使用されることを可能にする。これらの特徴は独立して与えられる。更に別の特徴は移動体電話機のためのＳＩＭカードデータを含んでいる遠隔装置へ（短距離の）無線リンクを有する移動体電話機を提供する。
【００３６】
ここで使用されているように、用語“移動体電話機”は文脈が必要とするならば、音声通信と同様または音声通信の代わりにテキストまたはデータ或いはグラフィックまたはビデオ通信が可能である装置を含むことを意図している。
【００３７】
バックアップ装置がメモリおよび通信装置を有する要求は実際にＰＤＡ等の別のポータブルデータ記憶装置により満足されることが本発明者により認識されるであろう。したがって、ＰＤＡ等の別のポータブルデータ通信装置に対する応用としてバックアップ装置を構成することが可能である。
【００３８】
発展では、２（以上の）ポータブルデータ記憶装置が互いに相互のバックアップとセキュリティ機能を行うために使用されることができる。しかしながら、バックアップ装置が十分に機能的なデータ記憶装置ではなく、ユーザ入力および出力の機能が限定されているか全くないならば、非常に好ましい。それ故驚くべきことに、装置に機能がほとんど設けられないことが有効である。本発明にしたがって、ユーザにより携帯され、有効に設けられることができるユーザ入力および出力インターフェースを限定するならば、バックアップ装置がコンパクトでなければならないことが認識される。さらに、装置が機能を限定するならば、ユーザがバックアップ装置自体を使用する（それ故恐らく紛失する）可能性は少ない。好ましい構造では、バックアップ装置はコンパクトであり、ユーザまたは服飾品へ固定して留めることができるクレジットカードサイズの装置、腕時計または腕時計の挿入部、キーリングまたはクリップ留め装置等のようなユーザが容易に携帯できる装置として与えられる。バックアップ装置は固定して取付けるが、好ましくは人または手首のストラップ、クリップ、ベルトクリップ、ピンまたは安全ピン、Velco （商標名）ファスナ、タイクリップ、自動接着パッドまたは任意の他の適切な固定具のような服飾品へ取外し可能に（随意的に永久に）取付ける手段を有する。
【００３９】
さらに別の特徴によれば、中央ポータブルデータ記憶装置と少なくとも１つのタグ装置との分離に対する安全保護方法もまた与えられ、その方法は、
中央ポータブルデータ記憶装置および各タグ装置との間の通信のために少なくとも１つの無線通信リンクを設け、
無線通信リンクによってタグ装置と中央ポータブルデータ記憶装置との間で周期的に通信し、
タグ装置が中央ポータブルデータ記憶装置との通信範囲外であるならば警報手順を開始するステップを含んでいる。
【００４０】
中央ポータブルデータ記憶装置または制御装置は例えば１以上の子供またはペットに対する装置のタグ付けを行う大人により動作される。警報手順は範囲外にあるタグ装置の識別子、例えばタグ装置の保持者の写真を表示する。さらにタグ装置のユーザの詳細は中央ポータブルデータ記憶装置またはタグ装置自体に記憶される。これらの詳細は例えば識別詳細、医療記録または選択された医療詳細または“ペットパスポート”詳細を含んでいる。記憶された医療詳細は例えば過去の心臓発作等の過去の医療履歴の詳細、またはタグ装置のユーザに特別な詳細、例えばユーザが糖尿病または特定の薬または食品に対してアレルギーを有するか否かを含んでいることができる。
【００４１】
バックアップ装置は現在の技術を使用してブルートュース（ＲＴＭ）チップ（郵便切手よりも小さい）、幾つかの（フラッシュ）メモリ等の処理パワーと電源を限定する通信装置を含むことだけを必要とするので非常にコンパクトに作られることができる。全てのこれらの機能は容易に小さい装置に統合されることができ、実際に非常に小さいので、バックアップ装置自体が置き違えられやすく、その理由で衣類へ固定して取付けられるかユーザが使用しがちな別の形態のハウジングに統合されることが望ましい。
【００４２】
好ましくは、バックアップ装置はデータ記憶装置以外の機能、例えば前述のようなキーリング、クレジットカード、腕時計等としての機能を有するハウジングへ統合される。
【００４３】
またここでは、好ましくはバックアップ装置へデータのバックアップの自動的な開始において、移動体電気通信装置の特有の識別子、好ましくはＩＭＥＩ番号および／またはＳＩＭカード識別子を記録するため、装置とバックアップ装置との間の通信を含んでいる移動体電気通信装置の秘密保護方法が提供される。
【００４４】
本発明は、本発明を実施する装置、方法を実施する制御プログラムまたはコンピュータプログラムプロダクトまたは信号、このようなバックアップ装置と動作するように構成されたデータ記憶装置の範囲に拡張される。
【発明を実施するための最良の形態】
【００４５】
本発明の１実施形態を添付図面を参照して単なる例示として説明する。
図１を参照すると、この実施形態では移動体電話機の形態のポータブルデータ記憶装置10はこの実施形態ではブルートュース（ＲＴＭ）トランシーバチップの形態の短距離の無線通信インターフェース12を含んでいる。トランシーバは図では装置のベースに示されているが、装置内に統合されるか、装置のバッテリと統合されるかバッテリハウジング内の付加的なコンポーネントとして設けられる。装置10は接触の詳細と随意的な約束または他のデータを装置の本体内または装置に設けられたＳＩＭカード上に記憶し、装置10内のプロセッサは通信インターフェースと通信する。
【００４６】
バックアップ装置20はこの実施形態ではブルートュース（ＲＴＭ）トランシーバチップの形態の短距離の無線通信インターフェース22を有する。内部または外部アンテナが随意的に回路板上に設けられる。バックアップ装置はバックアップデータ記憶装置24、例えばフラッシュメモリを含んでいる。メモリの量は例えばキーデータだけをバックアップするためには１Ｋｂ程であるが、典型的には６４Ｋバイト以上である。装置10の容量に応じて、しばしば例えば１Ｍｂ乃至１０Ｍｂ程度のかなり多くのメモリ、時には１２８Ｍｂ以上のメモリが設けられる。プロセッサ26はバックアップ装置の動作を制御し、特にインターネット22を介する通信とデータの記憶を制御し、またユーザ入力28を受信し、警報装置30、例えばピエゾ電気音響装置を制御する。バッテリ（図示せず）も（装置は場合もよってはポータブルデータ記憶装置からの送信により付勢されるが）ハウジング内に設けられる。警報装置は可視警報または振動警報装置を含むことができる。ユーザ入力28は好ましくは簡単な入力装置、例えば単一の入力ボタンまたは幾つかのボタンである。ユーザ入力装置で実行される有効な最小機能は警報の取消しであり、別の機能は通信インターフェースを介した装置の制御により実行される。しかしながら、より複雑なユーザインターフェース、例えば音声認識インターフェースが設けられることもできる。ユーザインターフェースは全体的に省略されることが可能であり、このような場合には、警報は好ましくは予め定められた時間後に自動的に消音するように構成される。
【００４７】
バックアップ装置は通常の形式のハウジングに設けられており、この実施例では装置が携帯に便利で紛失の可能性が少ないようにキーリング32が取付けられたキーフォッブの形態である。
【００４８】
装置20は服飾品に取付けられるかそこへ編込まれてもよい。代わりにまたは追加して、装置20は、幾つかの処理およびメモリ機能が組込まれ、随意的に幾つかの人間インターフェースを有する衣類である“スマート”服飾品と通信するために統合または構成されていてもよい。装置は“スマート”服飾品の応用として設けられる。
【００４９】
動作において、例えばポータブルデータ記憶装置10の本体内の通信インターフェースまたはＳＩＭカードに記憶されているソフトウェアは、ポータブルデータ記憶装置のプロセッサに通信インターフェースと通信させ、バックアップ装置20とのインターフェースによってデータ同期アルゴリズムを動作する。データ同期アルゴリズムはよく知られており、本発明の場合、簡単で広く普及した１方向の同期アルゴリズムがデータがバックアップ装置により変化されないときに使用される。したがって同期は“再記憶”シーケンスが発動されないならば、時々、ポータブルデータ記憶装置の内容によりバックアップ装置を更新することを含んでいる。
【００５０】
単一のバックアップ装置はデータのバックアップまたは１より多くのポータブルデータ記憶装置10の紛失の検出に使用され、例えば移動体電話機とＰＤＡは両者とも同一のバックアップ装置へバックアップされる。さらに、このような場合、バックアップされたデータは独立して記憶されるか、全てのこのような装置間の相互同期が幾つかまたは全てのデータで行われる。例えば、ＰＤＡはコンタクト、約束、メモデータをバックアップし、移動体電話機は電話番号データだけをバックアップし、電話番号データは装置間で同期されるかバックアップ装置で独立して記憶される。
【００５１】
バックアップ装置は他の機能を含んでもよく、例えば別のネットワーク、例えばＧｅｏ  Ｆｅｎｃｉｎｇアプリケーションネットワーク等の位置情報の通信用のネットワークと通信してもよい。このような場合、バックアップ装置は幾つかの機能、即ちそうでなければ（付加的に）ポータブルデータ記憶装置により与えられる機能を提供する。特に、ユーザの位置は例えばポータブルデータ記憶装置がオフに切換えられているならば、バックアップ装置だけを単独に使用して通信される。
【００５２】
バックアップ装置はまた遠隔測定またはテレマチックスアプリケーションと共に使用されてもよく、例えばここでは情報は通信を行う他の装置からの通信インターフェースを使用して装置により集められ、中央サーバに通信される。
【００５３】
バックアップ装置はさらに他の機能を含んでいてもよく、例えばロックに対するキーまたは警報（例えばビークル、職場または居住場所、その他のコンピュータ装置または他のリソースにおいて）として動作し、これは通信インターフェースを使用することにより効率的に実現される。装置は随意的に通信インターフェースによって他の“スマートカード”機能を含んでいてもよい。
【００５４】
図２を参照すると、代わりの実施形態はハンドヘルドオーガナイザのようなさらに別のポータブルデータ記憶装置40でバックアップ装置の機能を行う。この別の装置40はさらにブルートュース（ＲＴＭ）インターフェース等の別の通信インターフェース42を有し、ユーザ入力および出力のためのタッチスクリーンを有する。装置40はまた音響装置と、プロセッサと、データおよび図示されていない少なくとも１つのアプリケーションプログラムのための記憶装置とを含んでいる。アプリケーションはポータブルデータ記憶装置10と通信し、データ同期機能を行うためにポータブルデータ記憶装置40にダウンロードされる。通信リンクが遮断されるならば、好ましくは装置10、40の両者で警報が鳴らされる。さらに、通信リンクがない場合、好ましくは少なくとも１つの装置の少なくとも１つの機能が禁止されるか、または装置は所有者のコンタクトデータを表示する“紛失”モードに切換えられる。
【００５５】
さらに別のポータブルデータ記憶装置40は第１のポータブルデータ記憶装置10へのデータ入力を可能にする。データは後で第１のポータブルデータ記憶装置10へ転送するために例えばキーボード、音声認識ソフトウェアまたは手書き認識インターフェースを使用してさらに別のポータブルデータ記憶装置40へ入力されることができる。
【００５６】
１実施形態では、図１または２で示されているようなポータブルデータ記憶装置10、40はポータブルデータ記憶装置の所有者の医療または歯科記録等のデータを含んでいてもよい。
【００５７】
以下の疑似コードはシステムの通常の動作を説明している。
ポータブルデータ記憶装置10
【数１】
2004536534.tif 000003
【００５８】
バックアップ装置20
【数２】
2004536534.tif 000004
【００５９】
装置10の典型的なＰＳＤ警報手順は以下のものを含んでいる。
設定期間の音響警報、
“紛失”の表示、
指定された検索番号を除く呼のディスエーブル。
さらに、以下の手順が与えられる。
（１）相互にバックアップおよびポータブルデータ記憶装置を登録し、
（２）データの紛失に続いて、バックアップ装置からポータブルデータ記憶装置へ、または置換されたポータブルデータ記憶装置へデータを転送する。
【００６０】
さらにポータブルデータ記憶装置10とバックアップ装置20の分離によりトリガーされる警報手順は以下の概要を含んでいる。
【００６１】
ポータブルデータ記憶装置10はそれが接続されているネットワークに警報する。例えば移動体電話機は短いメッセージサービス（ＳＭＳ）メッセージを移動体電話機ネットワーク内の制御装置へ送信する。これは移動体電話機がネットワークによりディスエーブルされることを可能にする。ユーザは移動体電話機の使用が促される前にネットワークオペレータとのコンタクトすることを要求される。その代わりに、ＳＭＳメッセージがポータブルデータ記憶装置の所有者へ送信されてもよい。
【００６２】
別の警報手順では、ポータブルデータ記憶装置10、この場合では移動体電話機は中央ネットワーク制御センタへ接続する。これは警報手順がトリガーされるときに自動的に行われ、または移動体電話機のハンドセットは動作モードに入り、その動作モードでは、ユーザはハンドセットが再度使用される前に中央ネットワーク制御センタに電話することを要求される。中央ネットワーク制御センタは、警報手順が終了する前およびさらにハンドセットの使用が許容される前にコードまたはパスワード等の情報を必要とする。
【００６３】
更に別の警報手順にしたがって、ポータブルデータ記憶装置10は装置が紛失または盗難されていることを示すためにテキストまたはグラフィックを含んでいるメッセージを表示することができる。このメッセージは例えばその装置の所有者へのポータブルデータ記憶装置10の戻し方の詳細、または警察が装置の所有者を識別することのできる識別子を含んでいる。パスワードまたはコードが警報手順モードを終了し表示されたメッセージを取除くために必要とされてもよい。
【００６４】
さらに別の警報手順はポータブルデータ記憶装置10に（バックアップ装置20により発生されるトーンに加えてまたはそのトーンの代わりに）可聴トーンを送らせてもよい。ポータブルデータ記憶装置が移動体電話機のハンドセットであるならば、可聴トーンはリングトーンであり、これはハンドセットが紛失または盗難されることを示すための特別なリングトーンである。前述の警報手順では、コードまたはパスワードは可聴トーンの発信を停止するために必要とされてもよい。
【００６５】
最終的な警報手順では、ポータブルデータ記憶装置10は警報手順がトリガーされるときデータをネットワークへ送信する。ネットワークはデータが中央制御センタへ送られる制御ネットワークである。ネットワークへ送られるデータは例えば（ポータブルデータ記憶装置10が全地球測位システム（ＧＰＳ）能力を有するならば実行される）ポータブルデータ記憶装置10の位置情報を含んでいてもよい。データはポータブルデータ記憶装置の所有者についての情報を含み、これによって例えば所有者に装置の紛失が通知され、その後位置が突止められたならば装置と再度一体化される。さらに、データはポータブルデータ記憶装置の特有の識別子、例えばポータブルデータ記憶装置のブルートュース（ＲＴＭ）通し番号を含んでいてもよい。
【００６６】
先に概略的に説明した警報手順は個々に実行されるか、または警報手順の組合わせがセキュリティと、紛失または盗難後にポータブルデータ記憶装置がその所有者へ戻る可能性を増加する。各警報手順は最初の遅延後のみに実行され、警報手順の数はそれぞれ異なる最初の遅延後に実行される。例えば可聴または可視警報は警報手順の開始後すぐにバックアップ装置20で動作することができ、警報手順がこの期間に中止されていないならば、ポータブルデータ記憶装置10は予め設定された期間、例えば１時間後に中央ネットワーク制御センタに電話するさらに別の手順を実行する。
【００６７】
先に概要を述べた任意の実施形態は２方向の動作の対称モードで実行される。例えばポータブルデータ記憶装置はバックアップ装置が紛失または盗難されたならばユーザに警報。
【００６８】
さらに、上述したポータブルデータ記憶装置10、40とバックアップ装置20との間のバックアップおよび通信手順は、装置が相互に範囲内に入ったとき自動的に開始される。その代わりに、手順はユーザのリクエストで開始されるか、またはポータブルデータ記憶装置が特定の動作モードにされるときに開始される。
【００６９】
バックアップ装置は出力手段、例えばスクリーン、またはデータをさらにコンピュータ等の別の装置へ出力する手段を提供することが可能であり、そこでポータブルデータ記憶装置からバックアップされたデータが表示されることにも注目すべきである。これによってポータブルデータ記憶装置自体が利用可能ではなくてもデータにアクセスすることができる。例えばバックアップアドレスブックデータは、ポータブルデータ記憶装置が利用可能ではないとき、例えばポータブルデータ記憶装置が紛失されているか電話呼を行うために使用されている場合にもバックアップ装置でアクセスされることができる。
【００７０】
更に別の実施形態を図３を参照して説明し、それにおいては複数のタグ装置54、56、58は中央制御装置50と通信するために設けられている。中央制御装置50は各タグ装置54、56、58と同一の機能を有するが、好ましい実施形態では中央制御装置50は以下説明するように付加的な機能を有する。
【００７１】
この実施形態では、中央制御装置50は図１で前述したようにタグ装置54、56、58と周期的に通信する。中央制御装置50はさらに表示手段52、例えばスクリーンを具備し、それを介して中央制御装置50の所有者は情報を得る。この情報は例えば各タグ装置54、56、58が最後に中央制御装置50とコンタクトを取ったとき、または中央制御装置50と各タグ装置54、56、58との距離を含んでいてもよい。
【００７２】
１実施形態によれば、図３の中央制御装置50はそれぞれがタグ装置54、56、58を与えられている子供の動きを監視するために親または大人によって使用されることができる。特定の子供に属すタグ装置54が予め限定された範囲を越えたならば、中央制御装置50は先に概説した手順の１つのような警報手順を実行する。異なる範囲は異なるタグ装置に対して設定され、警報手順は中央制御装置50のオペレータ（親）とタグ装置の保持者（子供）との両者の通知を含んでいる。警報手順は例えば中央制御装置50が範囲外に出たタグ装置54を保持する子供の写真を表示することを含んでいる。この写真は例えばセキュリティ保護を容易にするため親によって、または子供を容易に識別する警察により使用される。警報手順は子供を取戻すことを容易にするためにタグ装置52により発せられる可聴警報を具備していてもよい。１実施形態では、中央制御装置50は親に属す移動体電話機ハンドセットであってもよい。
【００７３】
図４ａおよび４ｂは本発明の１実施形態によるバックアップ装置の２つに分離された回路のレイアウトを示している。このレイアウトは例示のみの目的で示されたもので、変更、あるいは別のまたは付加的なコンポーネントが示されているコンポーネントに置換されてもよい。
【００７４】
図４ａを参照して、この実施形態では、乾電池または再充電可能なバッテリ60が電力供給を行うために使用されている。ここではスライダスイッチとして示されているオン／オフスイッチ62が設けられてもよい。この実施形態では全てのｐｓｕコンポーネントおよびバッテリの接地面を最大にするために最大の幅のトラックがｐｓｕ室外の全てのバッテリ接続に対して使用される。ＲＦスタイルのトラッキング（最大幅で短い）が設けられる（ｐｓｕ室の一部）。さらに、スイッチモードレギュレータ76はブルーコア供給電源が３．０＋−０．１ボルトに維持されることを確実にする。
【００７５】
図４ａの回路は図４ｂで続き、図４ａのポイント68と70がそれぞれ図４ｂのポイント72と74に接続する。出力対76は各ソース４ｍａである。この実施形態では、Ｍｉｔｓｕｍｉ  ＷＭＬ−Ｃ０６ＮＨ集積回路78は集積されたブルートュース（ＲＴＭ）トランシーバおよびソフトウェアを実行するためのマイクロプロセッサが動作する記憶されたプログラムとして使用されるが、他の装置も適しており、同一または類似の機能を提供することができる。アンテナ80、押ボタン82、音響発生装置84（この場合ピエゾサウンダ）と、９方向のヘッダ86も設けられる。
【００７６】
前述の説明は例示のみであり、詳細の変形が行われてもよい。
【図面の簡単な説明】
【００７７】
【図１】第１の実施形態にしたがったシステムの概略図。
【図２】第２の実施形態にしたがったシステムの概略図。
【図３】第３の実施形態にしたがったシステムの概略図。
【図４ａ】バックアップ装置の１実施形態が構成される回路を２つに分離した一方を示す図。
【図４ｂ】バックアップ装置の１実施形態が構成される回路を２つに分離した他方を示す図。
【図１】
2004536534.tif 000005
【図２】
2004536534.tif 000006
【図３】
2004536534.tif 000007
【図４ａ】
2004536534.tif 000008
【図４ｂ】
2004536534.tif 000009
【国際公開パンフレット】
2004536534.tif 000010
2004536534.tif 000011
2004536534.tif 000012
2004536534.tif 000013
2004536534.tif 000014
2004536534.tif 000015
2004536534.tif 000016
2004536534.tif 000017
2004536534.tif 000018
2004536534.tif 000019
2004536534.tif 000020
2004536534.tif 000021
2004536534.tif 000022
2004536534.tif 000023
2004536534.tif 000024
2004536534.tif 000025
2004536534.tif 000026
2004536534.tif 000027
2004536534.tif 000028
2004536534.tif 000029
2004536534.tif 000030
2004536534.tif 000031
2004536534.tif 000032
2004536534.tif 000033
2004536534.tif 000034
2004536534.tif 000035
2004536534.tif 000036
2004536534.tif 000037
2004536534.tif 000038
2004536534.tif 000039
2004536534.tif 000040
2004536534.tif 000041
2004536534.tif 000042
2004536534.tif 000043
2004536534.tif 000044
2004536534.tif 000045
2004536534.tif 000046
2004536534.tif 000047
2004536534.tif 000048
2004536534.tif 000049
2004536534.tif 000050
2004536534.tif 000051
2004536534.tif 000052
2004536534.tif 000053
【国際調査報告】
2004536534.tif 000054
2004536534.tif 000055
2004536534.tif 000056